(57)【要約】【課題】  プリント材料へのコレクション印字および再プリントの作業効率を向上できる、プリント装置および情報設定方法を提供する。【解決手段】  プリント装置１０は、印画紙４２の表面に画像を形成し裏面にコレクション印字する装置である。プリント装置１０においては、印字情報設定画面５８を用いてプレジャッジ画面６４に表示されるプレスキャン画像６６毎にコレクション印字情報を設定する。印字情報設定画面５８においてなされたコレクション印字情報の設定は印字プレビュー表示欄６２に即座に反映される。【選択図】        図３
2005292209.tif 000002
【特許請求の範囲】
【請求項１】
プリント材料の一方主面に画像を形成し、他方主面にコレクション印字するプリント装置であって、
前記プリント材料に形成すべき複数の画像毎のコレクション印字情報を定める指示を与えるための入力手段、
前記入力手段からの指示に基づいて表示すべき前記複数の画像毎のコレクション印字情報を特定する特定手段、
前記特定手段によって特定された前記複数の画像毎のコレクション印字情報を表示する表示手段、
前記入力手段からの指示に基づいて形成すべき前記複数の画像毎のコレクション印字情報を確定する確定手段、および
前記確定手段によって確定された前記複数の画像毎のコレクション印字情報を前記プリント材料の他方主面にかつ対応画像に対応する位置に形成する印字手段を備える、プリント装置。
【発明の詳細な説明】
【技術分野】
【０００１】
この発明は、プリント装置に関し、より特定的には、プリント材料の裏面にコレクション印字する場合に用いられるプリント装置に関する。
【背景技術】
【０００２】
写真プリント作製時には、プリント材料の表面に画像が露光され、裏面にコレクション印字（ＣＶＰ：Correction Value Print）が施される。プリント材料の裏面に形成されるコレクション印字情報は、焼き増し等同じコマ画像を複数回プリントする再プリントの作製時に、同様のプリントを作製するために必要な情報となる。
【０００３】
しかし、近年普及してきているいわゆるデジタル露光を利用したデジタルプリント装置では、いわゆる直接露光（アナログ露光）を利用したアナログプリント装置と比較して、多種のかつ高い自由度の画像処理を行うことができるため、コレクション印字情報の文字数が多くなり、プリント材料の裏面に全てのコレクション印字情報を形成できない場合がある。この場合には、再プリントを作製する際に、オペレータが前回の画像処理情報等を的確に把握できず、前回のプリントと同様のプリントを再現できなくなる恐れがある。
この問題を解決するために、たとえば特許文献１には、コレクション印字情報をコード化してプリント材料に形成する技術が開示されている。
【特許文献１】特開２０００−１０２０７号
【発明の開示】
【発明が解決しようとする課題】
【０００４】
しかし、特許文献１の技術では、プリント材料に形成されるコレクション印字情報が意図したものになっているか否かは、実際にプリントを作製して確認しなければならず、コレクション印字情報が意図したものでなければプリントを作製し直す必要がある。
【０００５】
また、全てのコレクション印字情報を形成できたとしても、オペレータにとって不必要な情報が多ければ再プリント時の作業効率をかえって低下させる。
【０００６】
それゆえに、この発明の主たる目的は、プリント材料に確実に意図したコレクション印字情報を形成し、プリント材料へのコレクション印字および再プリントの作業効率を向上できる、プリント装置を提供することである。
【課題を解決するための手段】
【０００７】
上述の目的を達成するために、請求項１に記載のプリント装置は、プリント材料の一方主面に画像を形成し、他方主面にコレクション印字するプリント装置であって、プリント材料に形成すべき複数の画像毎のコレクション印字情報を定める指示を与えるための入力手段、入力手段からの指示に基づいて表示すべき複数の画像毎のコレクション印字情報を特定する特定手段、特定手段によって特定された複数の画像毎のコレクション印字情報を表示する表示手段、入力手段からの指示に基づいて形成すべき複数の画像毎のコレクション印字情報を確定する確定手段、および確定手段によって確定された複数の画像毎のコレクション印字情報をプリント材料の他方主面にかつ対応画像に対応する位置に形成する印字手段を備える。
【０００８】
なお、「コレクション印字情報」とは、プリント材料へ施されるコレクション印字の内容をいい、バックプリントデータ、フィルム情報、プリンタ情報および画像処理情報等を含む。
【０００９】
また、「対応画像」とは、プリント材料に形成すべき複数の画像と複数の画像毎のコレクション印字情報とにおいて、あるコレクション印字情報に対応する画像をいう。
【００１０】
請求項１に記載のプリント装置では、入力手段からの指示に基づいて特定手段がプリント材料の一方主面に形成すべき複数の画像毎のコレクション印字情報を特定し、特定されたコレクション印字情報が表示手段に表示される。これによって、オペレータは、複数の画像毎にコレクション印字情報を設定および視認し、それぞれ必要に応じて編集できる。そして、入力手段からの指示に基づいて形成すべき複数の画像毎のコレクション印字情報を確定手段が確定し、印字手段によって確定された複数の画像毎の所望のコレクション印字情報をプリント材料の他方主面にかつ対応画像に対応する位置に形成する。このように、複数の画像毎のコレクション印字情報をそれぞれ事前に編集し確認することによって、複数の画像毎に確実に意図したコレクション印字情報を形成でき、プリントを作製し直す必要もなく、コレクション印字の作業効率が向上する。また、画像毎に必要なコレクション印字情報だけを形成できるので、その後の再プリントの作業効率も向上する。
【発明の効果】
【００１１】
この発明によれば、複数の画像毎に確実に意図したコレクション印字情報を形成でき、コレクション印字の作業効率が向上する。また、その後の再プリントの作業効率も向上する。
【発明を実施するための最良の形態】
【００１２】
以下、図面を参照して、この発明の実施の形態について説明する。
図１を参照して、この発明の一実施形態のプリント装置１０は、スキャナ部１２およびプリント部１４を備える。
【００１３】
スキャナ部１２は、被露光媒体の一例であるたとえば２４０フィルム（ＡＰＳ（Advanced Photo System）フィルム）等のネガフィルム１６に向けて光を発する光源１８を含む。複数の画像（コマ画像）が形成されたネガフィルム１６は、図示しない駆動モータによって回転駆動される搬送用ローラ２０によって搬送され、ネガマスク２２によってネガフィルム１６のコマ画像が位置決めされる。搬送用ローラ２０およびネガマスク２２は搬送ユニットであるネガキャリア２４内に一体的に組み込まれる。また、ネガキャリア２４内にはさらに、ネガフィルム１６に形成された撮影年月日、撮影時刻、コマナンバー等のフィルム情報を読み取るための磁気ヘッド２６が設けられる。
【００１４】
光源１８とネガフィルム１６との間には、光源１８から発せられた光をネガフィルム１６に導くためのミラートンネル２８が配置される。光源１８から発せられネガフィルム１６を透過した光の光路上に、ラインセンサ等である画像センサ３０が配置される。また、ネガフィルム１６と画像センサ３０との間には、ネガフィルム１６を透過した光を画像センサ３０に結像させるためのレンズ３２が配置される。
【００１５】
画像センサ３０に結像された光は、デジタルデータとして出力され、スキャナ部１２およびプリント部１４を統括的に制御するコントローラ３４に入力される。また、コントローラ３４には、磁気ヘッド２６によって読み取られたフィルム情報も入力される。
コントローラ３４は、ＣＰＵバス（図示せず）で相互に接続されたＣＰＵ３４ａ、ＲＯＭ３４ｂおよびＲＡＭ３４ｃを含む。
【００１６】
また、コントローラ３４には、モニタ等の表示部３６、ハードディスクドライブ（ＨＤＤ：ハードディスクを含む）等の記憶装置３８、およびオペレータによる種々の指示や設定を行うキーボードやマウス等の入力部４０が接続される。表示部３６には、プリント装置１０の操作を容易にするＧＵＩ（Graphical User Interface）や印画紙４２に形成すべき画像等が表示される。
【００１７】
さらに、コントローラ３４には、デジタルカメラ用の画像記録メディア等から画像データを読み取るための図示しないメディアリーダが接続されている。
【００１８】
ＣＰＵ３４ａは、ＲＯＭ３４ｂや記憶装置３８に記憶された各種のプログラムを実行し、データを処理し、プリント装置１０内の各構成要素に指示を与え、プリント装置１０の動作を制御する。この実施形態では、ＣＰＵ３４ａが特定手段および確定手段としても機能する。
【００１９】
ＲＯＭ３４ｂは、起動用プログラム等を記憶している。起動用プログラムは、プリント装置１０の電源投入時にＣＰＵ３４ａによって実行される。これによって、記憶装置３８に記録されているオペレーティングシステム（ＯＳ）、画像処理プログラム等のプログラムがＲＡＭ３４ｃにロードされ、各種の処理や制御が実行可能となる。
【００２０】
ＲＡＭ３４ｃには、プリント装置１０を制御するプログラム等が展開され、プログラムによる処理結果、処理のための一時データ、表示部３６の画面上に情報を表示するための表示用データ（テキストデータ、画像データ等）等を保持し、ＣＰＵ３４ａの作業領域として使用される。ＲＡＭ３４ｃ上に展開された表示用データは、表示部３６に伝達され、表示部３６は、その画面上に表示用データに対応する表示内容（テキスト、画像等）を表示する。
【００２１】
記憶装置３８は、ＣＰＵ３４ａの指示に従って、プログラム、制御用データ、テキストデータ、画像データ等を、ハードディスクに対して記録しまたは読み出す。この実施形態では、記憶装置３８内のハードディスクに、プリント装置１０の動作のためのプログラムや画像処理プログラム、印字情報設定プログラムが格納される。
【００２２】
プリント部１４は、プリント材料である長尺の印画紙４２が収納されるペーパーマガジン４４を含む。ペーパーマガジン４４は所定の幅寸法の印画紙４２を収納し、たとえば作製するプリントのサイズの変更に伴って交換される。ペーパーマガジン４４に収納される印画紙４２は所定の経路に沿って引き出され、図示しないカッタによって適宜のサイズにカットされ、カット済みの印画紙４２が搬送用ローラ４６によって所定の搬送経路上を搬送される。搬送用ローラ４６は駆動モータ４８によって回転駆動され、駆動モータ４８はコントローラ３４によって制御される。
【００２３】
また、カット済みの印画紙４２の搬送経路上には、デジタル露光ヘッド５０および印字ユニット５２が配置される。デジタル露光ヘッド５０は、コントローラ３４から入力される画像データに基づく画像を印画紙４２の表面に露光し、画像（潜像）を形成する。デジタル露光ヘッド５０には、たとえば蛍光プリンタ、ＰＬＺＴ式プリンタまたはＣＲＴプリンタ等のヘッドが用いられる。印字ユニット５２は、コントローラ３４から入力されるコレクション印字情報のデータに基づいてコレクション印字情報を印画紙４２の裏面に印画紙４２の搬送方向に沿って印字する。印字ユニット５２には、たとえばドットインパクトプリンタが用いられる。
【００２４】
このように表面に露光されかつ裏面にコレクション印字された印画紙４２は、現像処理部５４で現像処理され、乾燥部５６で乾燥され、仕上がりプリントとして排出される。
【００２５】
ここで、図２にネガフィルム１６が２４０フィルムである場合の印画紙４２へのコレクション印字の一例を示す。
印字区分Ｐ１の印字情報１０１はバックプリントデータである。バックプリントデータは、図３に示す印字情報設定画面５８の設定区分Ｓ１のテキストボックス６０にオペレータが任意に入力した文字列である。
【００２６】
印字区分Ｐ２の印字情報１０２〜１０６はフィルムに記録されたフィルム情報である。印字情報１０２〜１０６は、順に、写真撮影時に撮影者が入力したタイトルデータ、年月日、時刻、コマナンバー、プリントタイプである。
【００２７】
印字区分Ｐ３の印字情報１０７〜１１２はプリント装置の設定情報（プリンタ情報）である。印字情報１０７〜１１２は、順に、オーダーナンバー、チャンネルナンバー、プリント枚数、ＹＭＣＤ・スキャナ補正値、コピーライトマーク、テンプレートである。
【００２８】
印字区分Ｐ４の印字情報１１３〜１２５は画像処理情報である。印字情報１１３〜１２５は、順に、オートコントラスト（全体）、オートコントラスト（シャドー）、オートコントラスト（ハイライト）、シャープネス、彩度、粒状抑制、モアレ抑制、赤目補正、ソフトフォーカス、色調変換、クロスフィルタ、画像回転、拡大縮小である。
【００２９】
この実施形態では、印字区分Ｐ２の印字情報は上段に、印字区分Ｐ１，Ｐ３およびＰ４の印字情報は下段に印字される。
【００３０】
なお、実際のコレクション印字に際しては、図２に示すコレクション印字情報の全てが常に印画紙４２に印字可能となるのではなく、印字される文字数は、印画紙４２の送り長さ等によって制限される。送り長さに対する印字可能な文字数はたとえば表１に示すように設定される。
【００３１】
【表１】
2005292209.tif 000003
【００３２】
送り長さは、所定サイズに切断された印画紙４２の搬送方向寸法に相当する。たとえば、Ｌ版（８９ｍｍ×１２７ｍｍ）サイズのプリントを作製する場合、印画紙４２の幅寸法が１２７ｍｍであれば送り長さは８９ｍｍとなる。因みに、図２に示す印字例において、送り長さが８９ｍｍで、印字可能な文字数が５３文字であれば、印画紙４２の左端から破線Ａで示す辺りまでしかコレクション印字情報を印字できない。図２に示すコレクション印字情報は２４０フィルムの場合の一例であって、２４０フィルムのコレクション印字情報はこれに限定されるものではない。なお、送り長さが変わると、印字されるフォントのサイズも変わるようにしてもよく、フォントサイズは印字情報毎に変更できるようにしてもよい。
【００３３】
ついで、図３に示す印字情報設定画面５８について説明する。ここでは、２４０フィルムの場合の例を示す。
印字情報設定画面５８は表示部３６に表示され、コレクション印字情報を設定し表示するために用いられる。印字情報設定画面５８における項目の選択やデータ入力に応じて、コレクション印字情報の印字内容および印字態様が設定される。
【００３４】
設定区分Ｓ１はバックプリントデータの設定欄であり、チェックボックスにマークを入れることによって、テキストボックス６０に文字入力可能となる。ここで入力された文字列が図２に示す印字区分Ｐ１の印字情報１０１となる。また、テキストボックス６０と隣接するように設けられる選択ボタン６０ａを押すことによって、たとえば「オタンジョウビ」や「ケッコンシキ」等記憶装置３８に記憶されている定型のテキストを選択し、テキストボックス６０に入力することもできる。
【００３５】
設定区分Ｓ２は、ネガフィルム１６に記録されたフィルム情報の設定欄であり、図２に示す印字区分Ｐ２の印字情報１０２〜１０６に対応する。
【００３６】
設定区分Ｓ３は、プリント装置の設定情報（プリンタ情報）の設定欄であり、図２に示す印字区分Ｐ３の印字情報１０７〜１１２に対応する。
【００３７】
設定区分Ｓ４は、画像処理情報の設定欄であり、図２に示す印字区分Ｐ４の印字情報１１３〜１２５に対応する。
【００３８】
また、フォントサイズはフォントサイズ設定欄Ｓ５で設定でき、小（等倍文字）または大（１．５倍角文字）のいずれかに設定される。
【００３９】
設定区分Ｓ１からＳ４で設定された（チェックボックスにマークが付された）項目のコレクション印字情報およびフォントサイズは、印字情報設定画面５８内の印字プレビュー表示欄６２に表示されるコレクション印字情報に即座に反映される。印字プレビュー表示欄６２での表示内容が、印画紙４２へコレクション印字したときの実際のコレクション印字情報の印字内容および印字態様を表す。
【００４０】
なお、入力ソース設定欄Ｓ６によって、入力ソースが、１１０フィルム、１３５フィルムまたは２４０フィルム等のフィルムかその他の各種画像記録メディアかが設定される。入力ソースに応じて印字パターン、印字情報が変更され、表示内容も変わる。たとえば、１３５フィルムの印字情報は、バックプリントデータ、コマナンバー、プリント枚数、コピーライトマーク、オーダーナンバー、チャンネルナンバー、ＹＭＣＤ補正値、スキャナ補正値、回転角度、拡大縮小となり、印字情報設定画面５８はこれらの情報に対応した画面となる。入力ソース設定欄Ｓ６は、たとえばスキャナ部１２の磁気ヘッド２６によって読み取られるフィルム情報に基づいて自動的に設定される。
【００４１】
また、印画紙４２の送り長さは送り長さ設定欄Ｓ７によって設定される。送り長さ設定欄Ｓ７は、たとえば印画紙４２の幅寸法および作製すべきプリントのサイズに応じて自動的に設定される。
【００４２】
このような印字情報設定画面５８を用いて、ネガフィルム１６に形成された複数のコマ画像毎ひいては印画紙４２に形成すべき画像毎にコレクション印字情報が設定される。
【００４３】
ついで、図４を参照して、プリント装置１０の主要動作について説明する。
プリント装置１０では、本スキャン（本画像読み取り）に先立ってプレスキャン（事前読み取り）が行われる。本スキャンによって読み取る本スキャンコマ画像データは、印画紙４２に形成すべき画像の画像データとして記憶装置３８に記憶される。また、プレスキャンによって読み取るプレスキャンコマ画像データは、本スキャンコマ画像データに施すべき画像処理の設定等を行うために用いられる。
【００４４】
まず、入力部４０からの指示に従って、スキャナ部１２が動作し、ネガフィルム１６に形成された複数のコマ画像のプレスキャンが行われる（ステップＳ１）。
ステップＳ１では、スキャナ部１２の画像センサ３０からコントローラ３４に入力されたデジタルデータがネガフィルム１６に形成された複数のコマ画像にそれぞれ対応する複数のプレスキャンコマ画像データとしてＲＡＭ３４ｃに保持される。複数のプレスキャンコマ画像データは、それぞれ対応するコマ画像のコマナンバーと関連付けられＲＡＭ３４ｃに保持される。また、磁気ヘッド２６が読み取ったネガフィルム１６のフィルム情報が記憶装置３８に記憶される。
【００４５】
つづいて、表示部３６に図５に示すプレジャッジ画面（ＰＪＰ画面）６４が表示される（ステップＳ３）。プレジャッジ画面６４には、ＲＡＭ３４ｃに保持される複数のプレスキャンコマ画像データにそれぞれ基づく複数のプレスキャン画像６６（ここでは６つ）が表示される。
【００４６】
つづいて、オペレータによって、プレジャッジ画面６４内のプレスキャン画像６６の画像状態が判定され、後の本スキャンで読み取る本スキャンコマ画像データへの画像処理の設定が必要か否かの判断がなされる（ステップＳ５）。
ステップＳ５において、画像処理の設定を行う必要がある場合、任意のプレスキャン画像６６を選択し、画像処理の設定を行う指示が入力部４０から与えられる。これに伴って、記憶装置３８から画像処理プログラムがＲＡＭ３４ｃ上に読み出され、図示しない画像処理設定画面が表示部３６に表示される。そして、画像処理設定画面上で後の本スキャンによって読み取る本スキャンコマ画像データに施すべき画像処理の設定が行われる（ステップＳ７）。
【００４７】
ステップＳ７では、たとえば２４０フィルムの場合、コントラスト補正等基本的な処理に加え、シャープネス処理、モノクローム仕上げやセピア仕上げを含む色調変換処理、ソフトフォーカス処理、クロスフィルタ処理、画像回転処理、拡大縮小処理等の、図３の設定区分Ｓ４に示す処理を含む画像処理の設定が行われる。
【００４８】
ステップＳ７で設定された画像処理は、ＣＰＵ３４ａによって選択されたプレスキャン画像６６に対応するプレスキャンコマ画像データに即座に施され、プレジャッジ画面６４内の選択されたプレスキャン画像６６に即座に反映される。これによって、オペレータは本スキャンコマ画像データに施すべき画像処理が適正であるか否を選択されたプレスキャン画像６６の画像状態で判断することができる。
【００４９】
つづいて、オペレータによって、選択されたプレスキャン画像６６の画像状態がＯＫか否の判断がなされる（ステップＳ９）。選択されたプレスキャン画像６６が所望の画像状態となっていなければ、つまり、本スキャンコマ画像データに施すべき画像処理が適正でなければ、ステップＳ７に戻り、再設定される。
【００５０】
ステップＳ９において、選択されたプレスキャン画像６６が所望の画像状態となっていれば本スキャンコマ画像データに施すべき画像処理の設定が確定され、画像処理設定画面が表示部３６上から消去される。そして、当該画像処理の設定に関する設定値等の画像処理情報が記憶装置３８に記憶される。このとき画像処理情報は、当該画像処理を施されたプレスキャンコマ画像データのコマナンバーと関連付けられ記憶装置３８に記憶される。
【００５１】
つづいて、オペレータによって、印画紙４２の裏面に形成されるコレクション印字情報の設定が必要か否かの判断がなされる（ステップＳ１１）。ステップＳ５において、画像処理の設定を行う必要がない場合も同様にステップＳ１１に移る。
【００５２】
ステップＳ１１において、コレクション印字情報の設定が必要な場合、プレジャッジ画面６４内の任意のプレスキャン画像６６を選択し、コレクション印字情報の設定を行う指示が入力部４０から与えられる。これに伴って、記憶装置３８から印字情報設定プログラムとともに、フィルム情報、プリンタ情報および画像処理情報等のコレクション印字情報のデータがＲＡＭ３４ｃ上に読み出され、表示部３６に印字情報設定画面５８が表示される（ステップＳ１３）。
【００５３】
なお、フィルム情報のコマナンバーおよび画像処理情報については、選択されたプレスキャンコマ画像データのコマナンバーに対応するデータがＲＡＭ３４ｃ上に読み出される。また、ステップＳ１３において、ステップＳ７の処理が行われなかったプレスキャン画像６６が選択された場合、各種の画像処理が設定されていないという内容の予め記憶装置３８に記憶される規定の画像処理情報がＲＡＭ３４ｃ上に読み出される。
【００５４】
つづいて、入力ソースおよび送り長さが設定され（ステップＳ１５）、入力ソースに対応する印字情報の設定区分が印字情報設定画面５８に表示され、その画面上でコレクション印字情報が設定される（ステップＳ１７）。
【００５５】
ステップＳ１７では、チェックマークの付加・削除や文字入力等のコレクション印字情報を設定する指示が入力部４０から与えられる。これに伴って、ＣＰＵ３４ａがコレクション印字情報を特定して印字情報設定画面５８内の印字プレビュー表示欄６２に表示させる（ステップＳ１９）。この実施形態では、コレクション印字情報は設定されると即座に表示される。選択されなかった項目があると、その分のスペースを前に詰めてコレクション印字情報が表示される。
【００５６】
つづいて、オペレータによって、印字プレビュー表示欄６２に表示されたコレクション印字情報がＯＫか否かの判断がなされる（ステップＳ２１）。たとえば、コレクション印字情報が所望の内容、所望の態様か、印字すべきコレクション印字情報が全て印字できるか等が判断される。表示されたコレクション印字情報がＯＫでなければステップＳ１７に戻り、再設定される。
【００５７】
ステップＳ２１において、コレクション印字情報の状態がＯＫであれば、印字情報設定画面５８のＯＫボタン６８が押される。これを契機として、ＣＰＵ３４ａは、選択されたプレスキャン画像６６ひいては印画紙４２に形成すべき１つの画像のコレクション印字情報の設定を確定し、コレクション印字情報の設定データ（以下、単に設定データという）をプレスキャン画像６６のコマナンバーと関連付けて記憶装置３８に記憶させる。そして、印字情報設定画面５８が表示部３６上から消去される。
【００５８】
つづいて、オペレータによって、全てのプレスキャン画像６６およびプレスキャン画像６６毎ひいては印画紙４２に形成すべき画像毎のコレクション印字情報が所望の状態であるか否かの判断がなされる（ステップＳ２３）。ステップＳ１１において、コレクション印字情報を設定する必要がない場合も同様にステップＳ２３に移る。全てのプレスキャン画像６６および印画紙４２に形成すべき画像毎のコレクション印字情報が所望の状態ではない場合、ステップＳ５に戻る。
【００５９】
ステップＳ２３において、全てのプレスキャン画像６６および印画紙４２に形成すべき画像毎のコレクション印字情報が所望の状態である場合、プレジャッジ画面６４のＳＴＡＲＴボタン７０が押される。これを契機として、スキャナ１２が動作し、本スキャンが行われる（ステップＳ２５）。
【００６０】
なお、ステップＳ２５と同時に、あるプレスキャン画像６６において画像処理の設定が行われなかった場合、当該プレスキャン画像６６に対応するプレスキャンコマ画像データのコマナンバーに関連付けて規定の画像処理情報が記憶装置３８に記憶される。同様に、あるプレスキャン画像６６においてコレクション印字情報の設定が行われなかった場合、当該プレスキャン画像６６に対応するプレスキャンコマ画像データのコマナンバーに関連付けて規定の設定データが記憶装置３８に記憶される。
【００６１】
ステップＳ２５では、スキャナ部１２の画像センサ３０からコントローラ３４に入力されたデジタルデータがネガフィルム１６に形成された複数のコマ画像にそれぞれ対応する複数の本スキャンコマ画像データとしてＲＡＭ３４ｃに保持される。複数の本スキャンコマ画像データは、それぞれ対応するコマ画像のコマナンバーと関連付けられＲＡＭ３４ｃに保持される。そして、記憶装置３８から画像処理プログラムおよびコマナンバーと関連付けて記憶される画像処理情報がＲＡＭ３４ｃ上に読み出され、複数の本スキャンコマ画像データに、それぞれコマナンバーが一致する画像処理情報に基づく画像処理が施される。なお、コマナンバーが一致する画像処理情報が規定の画像処理情報である場合、画像処理は施されない。その後、コマナンバーと関連付けられた本スキャンコマ画像データが記憶装置３８に記憶される。
【００６２】
つづいて、プリント部１４でプリント処理が行われる（ステップＳ２７）。
ステップＳ２７では、関連付けられたコマナンバー順に本スキャンコマ画像データがデジタル露光ヘッド５０に入力され、デジタル露光ヘッド５０が入力された本スキャンコマ画像データに基づく画像をカット済みの印画紙４２の表面に形成する。そして、関連付けられたコマナンバー順の設定データに基づくコレクション印字情報のデータが印字ユニット５２に所定のタイミングで入力され、印字ユニット５２が入力されたコレクション印字情報のデータを印画紙４２の裏面に印字する。つまり、本スキャンコマ画像データに関連付けられたコマナンバーと設定データに関連付けられたコマナンバーとが一致するように、１枚のカット済みの印画紙４２に対してデジタル露光ヘッド５０の画像形成と印字ユニット５２のコレクション印字とが行われる。その後、現像処理、乾燥処理を経て、仕上がりプリントが順次排出される。
【００６３】
このようなプリント装置１０によれば、印画紙４２に形成すべき複数の本スキャンコマ画像データにそれぞれ基づく複数の画像毎のコレクション印字情報をそれぞれ事前に設定および編集し確認することによって、複数の画像毎に確実に意図したコレクション印字情報を印字でき、プリントを作製し直す必要もなく、コレクション印字の作業効率が向上する。また、複数の画像毎に必要なコレクション印字情報だけを印字できるので、その後の再プリントの作業効率も向上する。
【００６４】
なお、上述の実施形態では、プリント部１４内で印字ユニット５２がデジタル露光ヘッド５０よりも印画紙４２の搬送経路の下流側に配置される場合について説明したが、印字ユニット５２をデジタル露光ヘッド５０よりも搬送経路の上流側に配置し、印画紙４２の裏面にコレクション印字した後に印画紙４２の表面に画像を形成するようにしてもよい。
【００６５】
また、この発明は、インクジェットプリント装置やアナログプリント装置にも適用することができる。
【００６６】
さらに、この発明で用いられるプリント材料は、印画紙に限定されず、インクジェット用プリント用紙や布やプラスチックフィルム等であってもよい。
【図面の簡単な説明】
【００６７】
【図１】この発明の一実施形態を示すブロック図である。
【図２】印画紙の裏面に印字されるコレクション印字情報の一例を示す図解図である。
【図３】印字情報設定画面の一例を示す図解図である。
【図４】図１の実施形態の動作の一例を示すフロー図である。
【図５】プレジャッジ画面の一例を示す図解図である。
【符号の説明】
【００６８】
１０      プリント装置
１２      スキャナ部
１４      プリント部
１６      ネガフィルム
３４      コントローラ
３４ａ      ＣＰＵ
３４ｃ      ＲＡＭ
３６      表示部
３８      記憶装置
４０      入力部
４２      印画紙
５０      デジタル露光ヘッド
５２      印字ユニット
５８      印字情報設定画面
６２      印字プレビュー表示欄
６４      プレジャッジ画面
【図１】
2005292209.tif 000004
【図２】
2005292209.tif 000005
【図３】
2005292209.tif 000006
【図４】
2005292209.tif 000007
【図５】
2005292209.tif 000008